(57)【要約】【課題】ポンプ本体及びこれを駆動する駆動モータから発生する騒音、振動を軽減するのと同時に防音ケース、装置据付台に伝わる振動を軽減して騒音、振動の少ない軽量で小型なポンプを提供する。【解決手段】流体吐出室と、この吐出室内に流体を流入する可動ピストンを有するポンプハウジング０１と、上記可動ピストン１１に動力を伝達する伝動機構２５を有する駆動装置０２と、上記ポンプハウジングと上記駆動装置とを保持するユニットフレーム０３を設ける。このユニットフレームを断面略L字状の側壁部３２と底壁部３１を有する板状部材で構成し、この側壁部にポンプハウジングと駆動モータを上下縦方向或いは左右横方向に並列に取り付ける。そしてユニットフレームを装置据付台４１にゴム、フェルト、綿、スポンジなどの波動吸収体４３を介して取付け、更にこの装置据付台４１にユニットフレームを覆う防音ケース４２を取付る。【選択図】図２
2006077685.tif 000002
【特許請求の範囲】
【請求項１】
流体吐出室とこの吐出室内に流体を流入する可動ピストンを有するポンプハウジングと、
上記可動ピストンに動力を伝達する伝動機構を有する駆動装置と、
上記ポンプハウジングと上記駆動装置とを保持するユニットフレームと、
装置据付台と、
上記ユニットフレームを覆う防音ケースとを備え、
上記ユニットフレームは少なくとも１つの底壁部と側壁部を有する断面略L字状の板状部材で構成し、
この板状部材の側壁部に上記ポンプハウジングと上記駆動装置と伝動機構とを固定して取付け、
上記板状部材の底壁部を上記装置据付台にゴム、フェルト、綿、スポンジなどの波動吸収体を介して取付け、この装置据付台に防音ケースを取付けたことを特徴とする流体ポンプ。
【請求項２】
前記ユニットフレームを構成する板状部材は前記側壁部と底壁部とが折曲げ加工で一体成形され、その側壁部に前記ポンプハウジングと駆動モータとが上下縦方向に並列に固定されていることを特徴とする請求項１に記載の流体ポンプ。
【請求項３】
前記ユニットフレームを構成する板状部材は前記側壁部と底壁部とが折曲げ加工で一体形成され、その側壁部に前記ポンプハウジングと駆動モータとが左右横方向に並列に固定されていることを特徴とする請求項１に記載の流体ポンプ。
【請求項４】
前記波動吸収体はパッキング部とブッシュ部とを有し、
このパッキング部は前記ユニットフレームの底壁部と前記装置据付台との間に間隙を形成し、
上記ブッシュ部は前記底壁部と装置据付台とを連結するビス穴に係合することを特徴とする請求項１乃至３のいずれかに記載の流体ポンプ。
【請求項５】
前記ユニットフレームを構成する板状部材は前記側壁部と底壁部とが折曲げ加工で一体成形され、
側壁部の背面側に前記ポンプハウジングと前記駆動モータが配置され、
この側壁部の正面側に前記伝動機構と上記駆動モータの回転軸に取付けた冷却ファンが配置されていることを特徴とする請求項３又は４に記載の流体ポンプ。
【請求項６】
前記ユニットフレームを構成する板状部材には前記側壁部に流体を貯蔵するタンクと前記ポンプハウジングと該タンクとを結ぶパイプが固定されていることを特徴とする請求項１乃至４のいずれかに記載の流体ポンプ。
【請求項７】
前記ポンプハウジングは、少なくとも２つの流体吐出室とこの各流体吐出室に流体を流入する可動ピストンとを有し、
この複数の流体吐出室と可動ピストンは吸排工程が略同一で互いの可動ピストンが相反方向に往復運動するように配置され、
前記駆動モータは上記各可動ピストンを往復動する回転カム部材を備えていることを特徴とする請求項２又は３に記載の流体ポンプ。
【請求項８】
前記複数の流体吐出室と可動ピストンとは前記ユニットフレームの側壁部に上下方向又は左右方向で互いに相反方向に配置されていることを特徴とする請求項７に記載の流体ポンプ。
【請求項９】
前記回転カム部材は回転軸とこの回転軸にリング状に取付けられた偏心回転体とから構成され、この偏心回転体は上記回転軸に対して固定位置を調節可能に取付けられていることを特徴とする請求項１乃至４のいずれかに記載の流体ポンプ。
【請求項１０】
前記ポンプハウジングは吐出室と、
この吐出室内に流体を流入するシリンダ室と、
このシリンダ室内で往復運動する可動ピストンとで構成され、
上記シリンダ室はアルミニウム合金で形成され、少なくともシリンダ室内壁にはアルマイト表面処理が施されていることを特徴とする請求項９に記載の流体ポンプ。
【請求項１１】
前記ポンプハウジングは吐出室と、
この吐出室に設けたダイアフラムと、
前記可動ピストンはこのダイアフラムを運動させることを特徴とする請求項１に記載の流体ポンプ。
【請求項１２】
前記防音ケースには外気通孔が形成され、この通孔は防音ケースの上下一方から外気を流入する流入孔と上下他方から外気を排出する流出孔とから構成されていることを特徴とする請求項１に記載の流体ポンプ。
【発明の詳細な説明】
【技術分野】
【０００１】
本発明はエアーコンプレッサ、流体吐出装置などの流体を吸排する流体ポンプに関し、詳細にはエアーポンプや真空ポンプなどの小型コンパクトな装置構成で発生する振動、騒音を軽減したものである。
【背景技術】
【０００２】
一般に、この種のポンプ装置は、例えば各種コンプレッサー装置として圧縮空気を吐出する装置或いは液状物の吐出ポンプ、真空ポンプなどとして広く使用されている。その構造は吸排弁を備えたシリンダ内でピストン部材を往復動するものと、吐出室に設けた隔壁状のダイアフラムを可動ピストンで脈動させるものが広く用いられている。またこの可動ピストンは直線的に往復動するレシプロ動作と、回転運動するロータリー動作を行うものが知られている。
【０００３】
いずれの構造にあっても流体ポンプ、特にエアーポンプは発生する振動と騒音が問題となり、種々の防振、防音対策が提案されている。まず、ポンプ装置に発生する振動は、駆動モータの機械的回転ムラを原因とする振動、モータの起動時と停止時に生ずる負荷変動を原因とする振動、ピストン部材の吸排工程で例えば上死点と下死点で生ずる振動、貯蔵タンク、パイプなどを流れる流体の流動で生ずる振動などが知られ、これらの振動が取付フレーム、ケーシング、外部の据付け構造物に伝搬され共振によって振動と騒音を発する為、これ等の要因に種々の対策が試みられている。
【０００４】
まず特許文献１（特開平７−３１０６５１号公報）にはピストン−シリンダ部に生ずる負荷変動を軽減する為に複数設けたピストン−シリンダの一方を吸気工程に、他方を排気工程に設定することによって複数のピストンが同期して吸排する場合の負荷を減少することが提案されている。これは吸気負荷に対し排気負荷が著しく大きいことに着目して吸排工程に位相差を持たせることによって負荷のスムーズ化を図っている。
【０００５】
また特許文献２（特開２００２−３９０６６号公報）にはポンプ装置内で発生した振動を外部の設置構造物に伝播させないように防振ゴム構造の接地脚が提案されている。このような振動する部材とこれに接続する部材との間に防振ゴムなどを設けることは広く知られその例を挙げるまでもない。一方、同文献にはケーシング内に平板状の取付プレートを設け、この取付プレート上にポンプ本体と、これを駆動する駆動装置と、流体を送るパイプをそれぞれ取付け、この取付プレートとポンプ本体との間に防振ゴムを設けて振動の伝播を防止する構造が開示されている。
【０００６】
特許文献３（特開２００１−３２９９５５号公報）にも同様の防振構造が開示されている。このように従来の防振構造は防音ケース内に上下若しくは左右方向に隔壁状の取付プレートを設け、この取付プレートにモータ、ポンプ本体を直接或いは防振ゴムなどのパッキンを介して固定し、この取付プレートを外装ケースに固定している。
【特許文献１】特開平７−３１０６５１号公報
【特許文献２】特開２００２−３９０６６号公報
【特許文献３】特開２００１−３２９９５５号公報
【発明の開示】
【発明が解決しようとする課題】
【０００７】
上述のように防音用のケーシング内にポンプ本体及びこれを駆動する駆動装置（モータなど）を取付ける際に、従来はケーシング内に隔壁構造の取付プレートを設け、このプレートに主要機構を組み込んだ後、ゴムパッキンなどを介してケーシングに取付けている。
ところがこのようなポンプ本体部に発生した振動をケーシング或いは装置を据付ける構造物に伝播するのを防止する防振構造は完全に振動、騒音を抑えることが出来ないことは良く知られている。
【０００８】
つまりポンプ本体に生ずる振動、駆動モータに生ずる振動は起動時及び停止時に大きな負荷変動が生じ、この振動が一旦ケーシング、外部構造物などに伝播するとその振動は継続して持続し、容易に減衰することがなく、これに伴う騒音も発生し続ける。そして防振ゴムなどで振動の伝播を防ぐ場合にもゴム材質は完全な弾性体ではなく相応の振動が伝播し、更に固定ボルト、ビスなどから振動が伝わる。
【０００９】
本発明はこのような振動が伝わる波動の伝播メカニズムがポンプなどの構造物を支持するフレーム（取付プレートなど）と装置据付台との間で、そのいずれかに撓み、歪みなどの機械的ストレス（応力）が大きい程、伝播する波動も大きくなる。これに対し従来装置は平板状の取付プレートにそれぞれ振動を発する部品を取付けている為、このプレートが振動を直接受けて共振し易いのは勿論、同時にこのプレートには荷重などの負荷が局部的に作用し、また固定ボルトの締め付け負荷がかかるなどなど大きなストレスが作用して波動が据付台、防音ケースなど伝播されやすいことに着目してなされたものである。
【００１０】
従って本発明は、空気などの流体を吐出するポンプハウジングとこれを駆動する駆動装置を取付けたフレームから振動、騒音が外装ケーシング或いは装置据付台に大きく伝播することがなく騒音、振動の少ないポンプ装置を簡単な構造で安価に提供することをその主な目的としている。更に本発明はポンプハウジングに生ずる振動を軽減する防振構造を提供することをその課題としている。
【課題を解決するための手段】
【００１１】
本発明は上記課題を解決するために以下の構成を採用する。
流体吐出室と、この吐出室内に流体を流入する可動ピストンを有するポンプハウジングと、上記可動ピストンに動力を伝達する伝動機構を有する駆動装置と、上記ポンプハウジングと上記駆動装置とを保持するユニットフレームを備え、このユニットフレームを断面略Ｌ字状の側壁部と底壁部とを有する板状部材で構成する。そしてこの側壁部にポンプハウジングと駆動装置と伝動機構を固定して取付け、底壁部は装置据付台に波動吸収体を介して取付ける。
【００１２】
この波動吸収体は軟質ゴム材、フェルト、綿、スポンジなどの剛性の低い材料でパッキン部とブッシュ部を有する適宜の形状に構成する。このパッキング部は前記ユニットフレームの底壁部と前記装置据付台との間に間隙を形成し、ブッシュ部は底壁部と装置据付台とを連結するビス穴に係合するように構成する。これによってポンプハウジング、駆動装置に生ずる振動は側壁部に伝わりこの側壁部と所定の角度を有する底壁部に伝わる振動は減衰される。これと同時に底壁部には固定ボルトなどの締付け負荷も、また局部的な荷重負荷も作用することが少なく、撓み、歪みなどの機械的なストレスも小さくなり装置据付台、防音ケースなどに伝わる振動は軽減される。
【００１３】
また、上記のユニットフレームにはポンプハウジングと駆動装置（モータなど）を装置据付台に対し上下縦方向に配列するか、左右横方向に配列する。そしてポンプハウジングは可動ピストンの往復運動の方向をこのユニットフレームの長手方向に沿うように平行に配置することによりフレームに伝わる振動を軽減できる。更に、ポンプハウジングは複数の可動ピストンを吸排行程を同一にして運動方向が逆方向になるように配置することによって可動ピストンから駆動部に伝わる振動は互いに相殺されて軽減する。同様にこの複数の可動ピストンの駆動手段を回転カム部材で構成し、このカム部材を位相差を有する複数の偏心回転体にすることによって回転時のバランスが得られ振動が小さくなる。特に最も大きい振動が生ずる起動時と停止時の振動が大きく軽減され、この振動が防音ケース或いは据付け構造物に伝わってビビリ音や不規則な振動を防止する。
【００１４】
また側壁部の背面側にポンプハウジングと駆動モータを配置し、この側壁部の正面側に駆動モータと伝動機構とこの駆動モータの回転軸に取付けた冷却ファンを配置すると伝動機構に生ずる振動も、冷却ファンに生ずる振動もユニットフレームの底壁部に及ぶことが少なく、この底壁部から防音ケース、据付け構造物などに伝わる振動が軽減される。更にユニットフレームを構成する板状部材には側壁部に流体を貯蔵するタンクとポンプハウジングとこのタンクを結ぶパイプを固定する。これによってパイプ内、タンク内を流動する不定常な流れに原因する振動がフレームの底壁部に及ぶことが少なくなる。
【００１５】
尚、ポンプハウジングを吐出室内に流体を流入するシリンダ室と、このシリンダ室内で往復運動する可動ピストンとで構成する場合には、アルミニウム合金で構成したシリンダ室表面はアルマイト表面処理を施す必要があり、この場合の処理層の厚さは３ミクロン以上好適には５乃至１０ミクロンが剥離摩耗の発生を防止する点から好ましい。
【００１６】
そして装置据付台には上記のユニットフレームを覆う防音ケースを取付け、この防音ケースには外気通孔を形成し、この通孔は防音ケースの上部及び下部の一方から外気を流入する流入孔と他方から外気を排出する流出孔に構成するとケース内の空気の流動によって冷却効果が向上する。
【発明の効果】
【００１７】
本発明はポンプハウジングとその駆動装置を断面略L字状に形成したユニットフレームの側壁部に取付け、このフレームの底壁部を波動吸収体を介して装置据付台に固定したものであるからポンプハウジング及び駆動装置に発生する振動が側壁部からこれと交叉する底壁部に伝播する過程で減衰され、更に底壁部には構成部品を支持する局部的な荷重負荷も、固定する為の締付け負荷も作用しないように構成することが可能となり機械的ストレスによる装置据付台への波動の伝播を最小限にすることが出来る。従って振動、騒音が少ないポンプ装置の提供が可能である。
【００１８】
また、本発明はポンプハウジングを複数のシリンダ室と可動ピストンで構成し、各ピストンの吸排工程が略同一で運動方向を反対方向に配置することによって吸排過程で生ずる振動を軽減することが出来、更にピストンの運動を複数の偏心回転体を有する回転カムで構成することによって起動時及び停止時などの負荷変動に対し比較的安定したバランスでスムーズな駆動が得られ大きな振動が発生する恐れがない。
【発明を実施するための最良の形態】
【００１９】
以下図示の好適な実施の形態に基づいて本発明を詳述する。図１は本発明に係わる流体ポンプの全体図を、図２はその組立分解図を、図３は図１の側面図を示す。
【００２０】
図１に示すように本発明に係わる流体ポンプは、ポンプハウジング０１と、このハウジング内の可動ピストン１１を駆動する駆動モータ０２と、このポンプハウジング０１と駆動モータ０２とを組み込むユニットフレーム０３と、このユニットフレーム０３を覆う防音ケース０４と、装置据付台とから構成される。
【００２１】
ポンプハウジング０１（以下ハウジングという）は空気などの流体を吐出する吐出室１２とこの吐出室１２に流体を流入する可動ピストン（以下ピストンという）を備えている。尚、一般に吐出室１２内に空気、液体などの流体を流入する方法としてはシリンダとこのシリンダ内を往復動するピストンで流体を流入する方法、吐出室の隔壁に設けたダイアフラムをピストンで脈動させて流体を送る方法、或いはスクリューなどのインペラーで流体を送る方法など種々の方法が知られているが、本発明はそのいずれも採用可能である。
【００２２】
図４はシリンダ室とこのシリンダ室内をレシプロ運動するピストンで空気を吐出室に送るエアーポンプの構造を示す。図示のものはポンプハウジング０１を構成する前面フレーム１３と背面フレーム１４との間に一対のポンプヘッドＰ１、Ｐ２とこの各ポンプヘッドに流体を送るピストンを駆動する駆動機構Ｍ１が組込んである。このポンプヘッドＰ１、Ｐ２は同一構造でそれぞれ吐出室１２ａ、１２ｂとこの吐出室に空気を流入するシリンダ室１５ａ、１５ｂと、ピストン１１ａ、１１ｂを備えている。以下同一構造であるのでその一方について説明する。
【００２３】
図示のシリンダ室１５ａ及び１５ｂは前面フレーム１３と背面フレーム１４との間に取付けられた上部フレーム１６と下部フレーム１７にそれぞれ穿設した中空円筒形状の開口で構成されている。このシリンダ室１５ａには吐出室１２ａを有するポンプヘッド７０ａ、７０ｂが連結してあり、シリンダ室１５ａには外気を流入する流入孔７６と通気孔７１ａが設けられ、ピストン１１の往復動作で流入孔７６から流体を流入し、通気孔７１から吐出室１２に送る。この通気孔７１ａには圧力調整ネジ７２が設けてある。また吐出室１２ａには逆止弁７４を有する排出口７５が設けてある。尚この逆止弁７４は後述するタンク０５と吐出室１２ａ内の気圧差を調整して起動時の負荷を軽減するもので必ずしも必要ない。
【００２４】
そこでシリンダ室１５ａ、１５ｂにはピストン１１が往復動自在に嵌合してあり、このピストン１１ａは回転カム部材２１で駆動される。この回転カム部材２１は、前面フレーム１３と背面フレーム１４との間に軸受支持された回転軸２２に固定（例えば圧入）した偏心回転体２３ａ、２３ｂで構成され、この偏心回転体２３ａ、２３ｂは図５に示すように軸心に対して１８０度隔てた位置に対称となるように配置され、偏心回転体２３ａがピストン１１aを、偏心回転体２３ｂがピストン１１ｂを従動するように連結されている。
【００２５】
そしてこの一方の偏心回転体２３ａには円環状のリング２４ａが他方の偏心回転体２３ｂにはリング２４ｂがそれぞれベアリングを介して連結してある。このリング２４ａにはピストン１１ａのロッド部１１ｃが、リング２４ｂにはピストン１１ｂのロッド部１１ｄがそれぞれ連結してある。特に、このリング２４ａ、２４ｂは偏心回転体２３ａ、２３ｂに図５に示す固定ネジ２４ｃで径方向の取付位置が調節出来るようにしてあり、回転体の製造時の寸法のバラツキ、或いはシリンダ室と位置関係の誤差によって振動が生ずるのをリングの取付位置を調節することによって解消する。
【００２６】
またシリンダ室１５ａ、１５ｂとこれに嵌合したピストン１１ａ、１１ｂとは回転軸２２を中心に１８０度隔てた位置に互いに対向するように配置してあり、各ピストン１１ａ、１１ｂの吸排工程は同一にしてある。つまり偏心回転体２３ａがピストン１１ａを上死点に位置させるときには、偏心回転体２３ｂはピストン１１ｂを上死点に位置させる。これは流体の吸排過程で２つのピストンに生ずる負荷（抗力）が反対方向に等しい力が作用して互いに相殺され、振動を軽減する為である。従って２つのピストンの吸排工程は略々同一であれば良く、配置される方向も略々直線上で反対であれば良い。
【００２７】
又、シリンダ室を回転軸２２の周囲３ケ所に設ける場合には１２０度隔てた位置に、同様に４ヶ所に設ける場合には９０度隔てた位置に配置すれば吸排工程で複数のピストンが回転軸２２に与える負荷はそれぞれ相殺される。同時にこの複数のピストンに対応する偏心回転体２３ａ、２３ｂもその最大偏心位置が回転軸２２の回りに所定角度ずつ位相差を有することとなり、それぞれが他のバランサとして作用し大きな振動を発生することがない。
【００２８】
そこで本発明はこのようなポンプハウジング０１と上述の回転軸２２を駆動する駆動モータ０２と、伝動機構（後述の伝動ベルト２５）とをユニットフレーム０３を介して次のように装置据付台４１に取付たものである。まずユニットフレーム０３は底壁３１とこの底壁３１から立上げた少なくとも１つの側壁部３２を有する断面Ｌ字状に構成する。そしてこの側壁部３２に上記ポンプハウジング０１と、駆動モータ０２を取付ける。そしてこのポンプハウジング０１と、駆動モータ０２を図２は側壁部３２の上下縦方向に配置する場合であり、図６は側壁部の左右横方向に配置する場合を示している。
【００２９】
図２について説明すると、ユニットフレーム０３は金属板材料を折曲げ加工によって断面Ｌ字状のフレーム板を形成している。このフレーム板は折曲げ加工によることなく、２つの板材を溶接などで連結してもビスなどで固定して一体化しても良く、また底壁部と側壁部とは直交することなく所定の角度で交差するようにしても良い。そして上述の回転軸２２には駆動モータ０２が伝動機構（後述の伝動ベルト２５）で連結される。駆動モータ０２は通常の電磁駆動モータで構成し、その出力軸（ロータ）の回転を伝動機構で減速して回転軸２２に伝達する。
【００３０】
伝動機構は駆動モータ０２の出力軸２６に設けたプーリ２７と回転軸２２のプーリ２９を伝動ベルト２５で連結することによって構成してあり、プーリ２９はプーリ２７より大径で出力軸２６の回転を減速して回転軸２２に伝達する。この伝動ベルト２５は伝動歯車で構成しても良いことは勿論である。また駆動モータ０２の出力軸２６には冷却ファン２８が設けてあり、後述する防音ケース４２内に外気を流入し、このケース内に空気流を形成する。
【００３１】
上述のユニットフレーム０３は金属材料或いは樹脂材料で保持するポンプハウジング０１や駆動モータ０２の大きさ、重量に応じた形状の底壁部に一つ或いは複数の側壁部を立上げて構成されるが、基本的には断面略Ｌ字状の板状部材にポンプハウジング０１と駆動モータ０２を片持支持するか、これ等を前後一対の対向する側壁で両側から支持するようにするかいずれかの支持方法を選択する。従って、その形状は断面略Ｌ字状、断面略コ字状或いは箱形形状などに構成されるが、少なくとも１つの断面略Ｌ字状の底壁部と側壁部を有することとなる。また図１に示すものは底壁３１の前後両サイドにサイド側壁３３をビス、溶接などで固定して３方に側壁を構成してある。
【００３２】
駆動モータ０２はそのケーシングをフロント側壁３２にビスで固定してあり、その出力軸２６はフロント側壁３２に形成した貫通孔を貫通して前面側に突出し、その突出した出力軸２６にプーリ２７と冷却ファン２８が取り付けてある。従って、駆動モータ０２と冷却ファン２８はフロント側壁３２に支持され、その振動もフロント側壁３２に伝播される。
【００３３】
次にポンプハウジング０１は、前面フレーム１３と背面フレーム１４と上部フレーム１６、下部フレーム１７とが一体化されているが、その下部フレーム１７をフロント側壁３２にビス３５ａで固定してある。同時に下部フレーム１７は図１前後のサイド側壁３３にビス３５ｂで固定されている。またポンプハウジング０１は前面フレーム１３に回転軸２２が貫通して突出され、この回転軸先端にプーリ２９が取付けられている。従って、ポンプハウジング０１はフロント側壁３２とサイド側壁３３に支持され、その振動はこれらの側壁に伝播される。
【００３４】
特にフロント側壁３２へのポンプハウジング０１の取付けは、１つ若しくは複数配置されるシリンダ室１５とピストン１１ａが往復動する運動方向はフロント側壁３２に平行で底壁３１と直交する方向に配置してある。これは吸排工程でピストン運動によって生ずる振動をフロント側壁３２の長手方向で受け、この側壁に生ずる振動が底壁３１に伝わるのを軽減する為である。
【００３５】
以上のようにユニットフレーム０３には駆動モータとポンプハウジング及びその伝動機構と冷却ファンが側壁部に全て保持されている。更にタンク０５及びパイプ０６もこのユニットフレーム０３に支持することが好ましい。このパイプの連結について説明すると、前述の吐出室１２ａ、１２ｂは連通パイプ５１で両室が同一気圧となるように連通してあり、一方の吐出室１２ｂは流入パイプ５２でタンク０５と連結し、両吐出室から流体をタンク０５に流入する。このタンク０５には外部ノズルに連結する流出パイプ５３が設けてある。図示５５は圧力センサであり、タンク０５内の流体をパイプ５４で導きタンク０５内の流量及び満杯を検出する。
【００３６】
上記のタンク０５は図１前後４個所にブラケット５６、５７が設けてあり、ブラケット５６はポンプハウジング０１の上部フレーム１６にビス５６ａで固定する。図示５６ｂは固定位置の調節ネジである。またブラケット５７はポンプハウジング０１の下部フレーム１７にビス５７ａで取付けてある。このようにタンク０５をポンプハウジング０１に取付けることによって上述の各パイプもポンプハウジング０１に保持されることとなるが、各パイプは適宜位置をサイド側壁３３に固定することが好ましい。
【００３７】
このように側壁部に各構成物を取付けたユニットフレーム０３は、装置据付台（以下据付台という）４１に取付ける。この据付台４１はポンプ装置を設置する使用状態に応じて、安定した形状に構成し、その１つは据付台４１をテーブルなどの構造物に載置する場合であり、他の方法は床などの構成物にボルトなどで一体的に固定する方法である。図示のものは前者を示し、プレート状の置台で構成している。
【００３８】
この据付台４１にユニットフレーム０３を波動吸収体４３を介して取付け、更にこの据付台４１に防音ケース４２を取付ける。ユニットフレーム０３の底壁３１に４個所若しくは適宜複数のボルト穴３１ａを穿設し、据付台４１に防振ゴムなどの波動吸収体４３を介してボルト締めで固定する。この波動吸収体４３は防振ゴム、フェルト（不職布）、綿などの剛性の少ない材料でユニットフレームの底壁３１と据付台４１表面との間に間隔を形成するパッキング部４３ａと、ボルト穴３１ａ内のブッシュ部４３ｂを有する形状にする。これはユニットフレーム０３の底壁３１と据付台４１との間及びボルト４３ｃが底壁３１と接することによる波動の伝播を防止する為である。
【００３９】
また据付台４１にはその周縁に折曲げ辺４４が適宜個所に設けてあり、この折曲げ片４４に防音ケース４２が固定してある。この防音ケース４２はダイカストなどの金属或いは合成樹脂などでユニットフレーム０３を覆うように形成する。図示のものは透明の合成樹脂で構成し、その外周に外気を流入する流入孔４６を設け、駆動モータ０２、ポンプハウジング０１で発生する熱を冷却する。図３に示すようにこの流入孔４６をケース下部に配置し、冷却ファン２８でケース全体に外気の取り込み、ケース上部の流出孔４６ｂから流出することによってケース内に空気流を形成し冷却効果を高めている。
【００４０】
次に図６に示すものは、断面略Ｌ字状のユニットフレーム０３に駆動モータ０２とポンプハウジング０１とを左右に並設した場合を示し、その他の構成は図１、２のものと同一であり、同一番号を付してその説明を省略する。断面略Ｌ字状に折り曲げたユニットフレーム０３には駆動モータ０２、ポンプハウジング０１、タンク０５が順次左右横方向に取付けてある。駆動モータ０２はそのケーシングを側壁３２にビスで固定してあり、ポンプハウジング０１は前面フレーム１３と背面フレーム１４を側壁３２にビスで固定し、タンク０５はブラケット５８、５９をビスで側壁３２にそれぞれ固定してある。またポンプヘッド７０ａ、７０ｂとタンク０５とは前述のものと同様にパイプで連結されているが図示を省略する。これ等のパイプも適宜個所を側壁３２に固定する。そして側壁３２に連なる底壁３１は前述のものと同様に波動吸収体４３を介して装置据付台４１に固定され、この据付台には防音ケース４２が取付けられている。
【００４１】
以上説明の構成にあって、ポンプ装置から発生する振動は次のように伝播される。まず、最も大きい振動が予想されるピストン１１及びシリンダ室１５はポンプハウジング０１を構成する各フレームに伝播される。このとき、ピストン１１とシリンダ室１５を対向する１８０度隔てた位置に２つ或いは１２０度隔てた位置に３つ若しくは所定角度でそれ以上配置し、吸排工程を略同一に偏心カムなどでピストンを往復動すると互いに相反方向の運動となって振動は相殺されユニットフレーム０３に伝播する振動が軽減する。
【００４２】
これと同様に複数のピストン部材を往復動する回転体を上述の偏心回転体２３で構成すると、この回転体によって生ずる振動もバランス作用によって軽減される。また、このポンプハウジング０１と駆動モータ０２及び伝動機構（前述のプーリ２７、２９と伝動ベルト２５）に発生する振動はユニットフレーム０３の側壁部３２、３３に伝播され底壁３１には直接的に伝播されない。またタンク０５及び流入、流出などのパイプには流体が流れる際に振動が発生するが、このタンク０５及びパイプを前述のように固定することによって、これ等から発生する振動もユニットフレーム０３の側壁部３２、３３に伝播される。同様に冷却ファン２８に発生する振動も側壁部に伝播される。
【００４３】
このように断面略Ｌ字状に形成したユニットフレーム０３はその側壁部３２、３３に振動の原因となる主要構成物が取付けられている為、ポンプハウジング０１、駆動モータ０２などで発生する振動はＬ字状の交叉部の弾性で減衰されて底壁３１に伝播される。これと同時に底壁３１には駆動モータ０２などの取付けによってボルト、ナットなどの締付負荷も局部的な重量負荷もかからないので底壁３１に撓み（歪み）などの機械的ストレスが作用しない。この状態で底壁３１は波動吸収体４３を介して据付台４１に取付けられる為、この据付台４１も荷重を支える以外の機械的ストレスが作用しない。また防音ケース４２は据付台４１に取付けられている為、ユニットフレーム０３の振動が直接防音ケース４２に伝播され、共振による振動や騒音を発することが無い。
【図面の簡単な説明】
【００４４】
【図１】本発明に係わる流体ポンプの全体図。
【図２】図１の装置の組立分解図。
【図３】図１の装置の側面図。
【図４】シリンダ室とエアーポンプの説明図。
【図５】ポンプハウジングの断面図。
【図６】ユニットフレームの図１とは異なる形態の説明図。
【符号の説明】
【００４５】
０１  ポンプハウジング
０２  駆動モータ
０３  ユニットフレーム
０４  防音ケース
０５  タンク
０６  パイプ
１１（１１ａ、１１ｂ）  可動ピストン（ピストン）
１２（１２ａ、１２ｂ）  吐出室
１３  前面フレーム
１４  背面フレーム
１５（１５ａ、１５ｂ）シリンダ室
１６  上部フレーム
１７  下部フレーム
２１  回転カム部材
２２  回転軸
２３（２３ａ、２３ｂ）  偏心回転体
２５  伝動ベルト（伝動機構）
２８  冷却ファン
３１  底壁
３２  フロント側壁
３３  サイド側壁
４１  据付台
４２  防音ケース
４３  波動吸収体
５２  流入パイプ
５３  流出パイプ
７０ａ、７０ｂ  ポンプヘッド
【図１】
2006077685.tif 000003
【図２】
2006077685.tif 000004
【図３】
2006077685.tif 000005
【図４】
2006077685.tif 000006
【図５】
2006077685.tif 000007
【図６】
2006077685.tif 000008